(57)【特許請求の範囲】
【請求項１】
インプラントシステム用の装置であって、この装置が固定具（１）とスペーサねじ（２）、これらと組み合わされたスペーサ素子（３）、および前記スペーサねじにしっかりと螺入されるユニット（４）を含み、この固定具がスペーサねじの外部螺条（２ａ）を受け入れるための内部螺条（１ａ）、スペーサ素子のための接触表面（１ｄ）、およびスパナ取付部（１ｅ）を有し、かつスペーサねじ（２）がその外部螺条の上に位置する筒状部分（２ｂ）を有し、この固定具がスパナ取付部内に位置する凹所（１ｆ）を備えており、この凹所はスペーサねじがこの固定具中にきっちりと引き込まれるときにスペーサねじの筒状部分（２ｂ）と係合するように適合されており、前記凹所（１ｆ）が筒状でありかつ凹所（１ｆ）内に螺条がないことを特徴とする装置。
【請求項２】
前記凹所（１ｆ）の深さ（ｌ′）、即ち筒状部分が凹所内に係合されることができる範囲が固定具の前記内部螺条（１ａ）の２〜４つのターンに本質的に対応することを特徴とする請求の範囲１に記載の装置。
【請求項３】
ユニット（４）をスペーサねじに保持するための保持ねじ（５）に設けられた外部螺条（５ａ）が、スパナ取付部の凹所（１ｆ）に対する筒状部分の係合度（ｌ′′′）に対応する延長部を持つことを特徴とする請求の範囲１または２に記載の装置。
【請求項４】
前記凹所（１ｆ）の直径がスペーサねじの外部螺条（２ａ）の直径（ｄ）より僅かに大きく、それによりこの凹所がスペーサねじが固定具の内部螺条中に螺入されるときのスペーサねじの案内機能を果たすこととなることを特徴とする請求の範囲１，２または３に記載の装置。
【請求項５】
スペーサねじが固定具中に螺入されるときの前記凹所内への重要な案内機能を与える目的のために、スペーサねじ（２）がその自由端にタップ（２ｆ）を備えていることを特徴とする請求の範囲１〜４のいずれかに記載の装置。
【請求項６】
スペーサねじの筒状部分（２ｂ）が螺条のない部分（２ｃ）に続いており、この螺条のない部分（２ｃ）がスペーサねじの前記外部螺条（２ａ）に続いていることを特徴とする請求の範囲１〜５のいずれかに記載の装置。
【請求項７】
前記凹所（１ｆ）が固定具の上部の螺条の不在を必然的に伴うこと、および螺条の前記不在がスペーサねじが固定具に締付けられるときに固定具が前記上部で衝撃力による負荷を本質的に受けないまま残ることを意味することを特徴とする請求の範囲１〜６のいずれかに記載の装置。
【請求項８】
前記凹所（１ｆ）の深さ（ｌ′）が０．５−２．０ｍｍの範囲内で選ばれることを特徴とする請求の範囲１〜７のいずれかに記載の装置。
【発明の詳細な説明】
技術分野
本発明は固定具（錨止素子）と固定具にしっかりと螺入されるスペーサねじとを含み、組み合わされたスペーサ素子を持つインプラントシステム用の装置に関する。それはまたユニット、例えば筒状体（補綴構造体）を含み、このユニットはスペーサねじにしっかりと螺入されることができる。固定具は内部螺条を有し、その中にスペーサねじが対応する外部螺条により螺入される。固定具はまたスペーサ素子のための接触表面とスパナ取付部を有する。前記スペーサねじはその外部螺条の上に位置した筒状部分を持つように設計されている。
従来技術
上に特定した形式のインプラントシステムは既知であり開放市場でNobelpharmaにより販売されている。
発明の開示
技術問題
上に特定した形式のインプラントシステムにおいて、低い構造的高さをシステムの種々の要素の要求される機械的強度と組み合わせることができることが必要である。かくして、ある場合には例えば補綴固定ねじの機械的強度を無視することなく、固定具の接触表面と補綴ユニット（筒状体）の表面との間のできるだけ低い構造的高さを提供することが必要である。この発明の目的は特にこの問題を解決することにある。
また固定具壁の上部にできるだけ大きな強度を達成できることが重要であり、これはまたこの発明により達成される。
問題の形式のインプラントシステムは小さな寸法を持ち、初期段階でそれぞれの各ねじの螺条係合を確実とする良好な案内機能を提供できることが必要である。それはまたそれ自身の締付け機能を容易とすることが可能でなければならない。これは本発明の付加効果として達成される。
この発明の主題に関しては、初期螺条係合機能を更になお増大する追加の改良をなすことができる。
解決手段
この発明による装置を特徴づけるものとして主として考えられる特徴は固定具または錨止素子がスパナ取付部内に位置する凹所を備えておりスペーサねじが固定具または錨止素子内にきっちりと引き込まれるときにこの凹所内にスペーサねじの筒状部分が完全にまたは部分的に係合されることである。
一実施例において、この凹所の深さ、従って筒状部分の凹所内への係合度は錨止素子の前記内部螺条の２−４つの螺条ターンに本質的に対応するように決められる。凹所内への筒状部分の係合は特に前記スペーサ素子の高さに依存する。更なる実施例において、ユニットをスペーサねじに固定するための保持ねじ上に設けられた外部螺条は、スパナ取付部内に凹所がない場合に比べて、スパナ取付部の凹所内への筒状部分の係合に対応する延長機能を持つ。前記外部螺条の延長部は保持ねじおよびインプラントシステム自体の希望の強度機能を確実とする。
この凹所の直径はスペーサねじの外部螺条の直径より僅かに大きく、これはスペーサねじが錨止素子の内部螺条中に螺入されるときにこの凹所がスペーサねじの初期案内機能を果たすことを意味する。スペーサねじは更にスペーサねじが固定具中に螺入されるときに前記凹所内への重要な案内機能を与えるためのタップをその自由端に備えることができる。
一実施例において、スペーサねじの筒状部分は螺条のない部分に続いており、この螺条のない部分は逆にスペーサねじの前記外部螺条に続いている。
この発明の概念によれば、この凹所は固定具の上部の内部螺条ターンの不在を必然的に伴う。前記螺条ターンの不在はスペーサねじが固定具中に締付けられるときに固定具が上部で衝撃力による負荷を本質的に受けないまま残ることを意味する。更に、一実施例において、内部螺条ターンがない場合に比べて、固定具自身の内部螺条ターンが壁部分の補強を形成するところの前記上部の固定具の壁部分の機械的強度を保証するように固定具の凹所が最大深さを有する。この凹所の深さは０．５−２．０ｍｍの範囲内で選ばれ、好ましくは約１．０ｍｍである。固定具、スペーサ素子およびユニットの全高は１０−２０ｍｍの範囲内で選ばれる。ユニットの上面とスペーサ素子のための固定具の接触平面との間の高さは４−８ｍｍである。
効果
この発明により、種々の目的に適した種々の厚さの存在する象牙質皮層（cortical dentine layers）に適合性の高いインプラントシステムを構成することが可能である。この補綴構造体はこの補綴構造体が固定される位置または水準と固定具の接触表面との間の低い構造的高さに対する要求があるときでさえ、信頼性のある錨止機能を与えることができる。
図面の説明
この発明の特徴的な特徴を持つ装置の現在提案される実施例が添付図面に関して以下に説明される。ここで：
図は固定具、スペーサねじおよびスペーサ素子を持つインプラントシステムとユニット（筒状体）を通る垂直断面を示し、このユニットは補綴構造体（図示せず）を支持するために前記ねじ中にしっかりと螺入されることができる。
詳細な実施例
図面において、符号１はそれ自身周知の態様で象牙質（dentine）（図示せず）中にしっかりと螺入されるようになされた固定具または錨止素子を示す。錨止素子はそれ自身公知のものとしてその構造および機能についての詳細な説明は省略する。錨止素子は内部螺条１ａ、外部螺条１ｂおよび壁部分１ｃを有する。錨止素子は接触平面１ｄおよびスパナ取付部１ｅをも有する。
所謂スペーサねじ２が固定具１の内部螺条１ａと相互作用しうる外部螺条２ａによって素子１中に螺入されうるようになっている。スペーサねじは、螺条部分２に加えて筒状部分２ｂを有し、この筒状部分２ｂは前記外部螺条２ａへ続く螺条のない部分２ｃへ続いている。スペーサねじ２に付随するスペーサ素子３がねじの突出フランジ２ｄと固定具１の接触平面１ｄとの間に配置されている。スペーサ素子の高さはケースバイケースで選択することができる。スペーサ素子は図示しない補綴構造体（歯置換体、歯冠等）を支持するためのユニット４（金の筒状体）用の支持面３ａを有する。
スペーサねじはその上部に内部螺条２ｅを有し、この内部螺条によって内部螺条２ｅに対応する外部螺条５ａを介して保持ねじ５により前記ユニットをしっかりとねじ止めすることができるようになっている。この固定自身も公知であるのでここではその詳細は説明しないが、ただ、ねじ５が締付けられるとユニット４がスペーサ素子を固定具１に対して締付け、かくしてインプラントシステムの各種要素が一緒に保持されることだけは述べておく。螺条５ａの長さｌはインプラントシステムの各種要素を固定するために重要な機能を果たすことが判るであろう。
長さｌは筒状部分２ｂの部分２ｂ′を係合させうる凹所１ｆを使用することによって長さｌを最適に維持することができる。図示の実施例においては凹所１ｆおよび筒状部分２ｂ／２ｂ′は断面が円形であり、凹所１ｆの直径は筒状部分２ｂ／２ｂ′の直径より僅かに大きい。
凹所１ｆは内部螺条１ａを上部においてくり抜くことによって形成されている。図示の実施例においては、２〜４つの螺条ターンがくり抜かれている。前記凹所の深さはｌ′で示されており、前記の２〜４つの螺条ターンに本質的に相当する。スペーサねじは種々な高さのスペーサ素子に対して機能しうる。前記の凹所の深さは０．５〜２．０ｍｍ、好ましくは１ｍｍである。このねじは更に距離ｌ″だけ係合することができ（スペーサ素子の高さがより低い場合）、図示のねじ止めの場合には距離ｌ′′′だけ係合されている。
上述した構成により、螺条２ｅのための凹所と、スペーサねじの筒状部分２ｂ、非螺条部分２ｃ間の転移部との間の材料の厚さｔは、保持ねじ５の螺条５ａの長さｌが大きいにも拘らず、強度の観点から容認しうる値に保持することができる。凹所の深さはまた内部螺条１ａの上部レベルと外部螺条１ｂのレベル間の値ｌ′′′′により決定される。もし内部螺条１ａの更なるターンがくり抜かれたとしたら、これは壁１ｃの上部の弱化をもたらし、それはスペーサねじが締付けられるとき強度の観点から問題を起こすであろう。ここに示された場合では、螺条のない部分２ｃによって、凹所の下の３〜４つの螺条ターンの位置に最大の応力が起こる。
この発明は固定具の接触平面１ｄとユニット４の上面５ｂとの間の低い構造的高さｈを与え、この低い構造的高さｈは距離ｌ′′′によって減らすことができる。
凹所１ｆの直径は内部螺条１ａの直径ｄより僅かに大きい。この凹所はこの場合スペーサねじのための案内として役立つ。更に改善された案内機能はスペーサねじの自由端のタップ２ｆで得られる。このシステムの全高はＨにより示され、６−１３ｍｍの範囲内で選ばれ、好ましくは約１０ｍｍである。スペーサ素子３は内部凹所３ｂを有し、この内部凹所はスパナ取付部１ｅに対応しており、このスパナ取付部はスペーサ素子をその回転角度に関して固定する。スペーサ素子上のフランジ２ｄはスペーサねじが固定具中に締付けられるときスペーサ素子に関して変位させられる。
この発明は例として上に示された実施例に限定されず、その代わりに添付した請求の範囲およびこの発明の概念の範囲内で改変することができる。
0003987579.tif 000002